(57)【特許請求の範囲】
【請求項１】
ａ．給排気管の挿入口１０側の開先から管軸方向に少し入った外周面に円周溝１１を形成したこと、
ｂ．前記円周溝１１の円周の一部から前記開先方向に向けて、挿入口１０の管軸と平行にガイド溝１３を形成したこと、
ｃ．前記ガイド溝１３の前記開先側の先端に続けて、このガイド溝１３と直角方向に前記ガイド溝１３とでＴ字状を呈するように係合壁溝１４を形成したこと、
ｄ．前記係合壁溝１４の両端は、スロープ１５、１５ａを経由して挿入口１０の外周面と同一の高さまでせり上がっていること、
ｅ．前記挿入口１０が挿し込まれる給排気管の受け口２０の内周面２０ａには、先端２１ａが受け口２０の入口方向から見て奥方を向き、かつ管軸方向に傾斜したストッパー爪２１を取り付けたこと、
ｆ．前記挿入口１０の内周面２０ａであって、前記ストッパー爪２１が取り付けられる面には、少なくともストッパー爪２１の板厚分半径方向に逃がして逃げ２２を形成したこと、
ｇ．を特徴とする給排気管の接続装置。
【発明の詳細な説明】
【０００１】
【発明の属する技術分野】
本発明は、給湯器等のような燃焼器具或いはその他の機器類の給・排気管或いは屋外から外気を導入したり、屋内の排気を屋外に排出したりする際に用いられる定尺の給排気管の接続装置に関するものである。
【０００２】
【従来の技術】
給湯器等の燃焼器具において、その排気管が外れたりして燃焼排気が屋内に洩れ出たりする危険を防止する目的で、継ぎ足して使用する定尺の給排気管の場合には、妄りに外れ（抜け）ないようにロック機構が接続部に設けられている。
【０００３】
図３はこの一例であって、このロック機構は、挿入口１側に円周溝２を形成し、この円周溝２の一部に管端側に向けてストッパー爪解除用スロープ４を形成した解除凹部３を形成すると共に、受け口５側の内面に先端６ａを奥方向に向け、且つ先端６ａを管軸方向に傾斜させたストッパー爪６を取り付けた構成である。この従来例において接続を行う場合には、ストッパー爪６の位置が解除用スロープ４（解除凹部３）に合わないようにして挿入口１側を受け口５内に挿入する。このようにすると、ストッパー爪６の先端６ａ側が挿入口１の外周面により摺り上げられて上方に変位し、定位置まで挿入したとき、ストッパー爪６の先端６ａはその弾性作用により円周溝２内に係合する（図４（ｂ））。この結果、受け口５内から挿入口１側を引き抜くことはできなくなる。
【０００４】
次に、受け口５から挿入口１側を引き抜く場合には、図４（ｃ）に示すように、挿入口１側又は受け口５側を回転して解除用スロープ４のところにストッパー爪６の先端６ａを合わせる。その上で挿入口１又は受け口５側を軸方向に引っ張ると、ストッパー爪６の先端６ａは解除用スロープ４により摺り上げられて円周溝２から外れ、図４（ａ）に示すように、そのまま引き抜くことができるようになる。
なお、引き抜きがしやすいように、ストッパー爪６と解除用スロープ４とが合う位置には、挿入口１側と受け口５側に夫々目印がつけてある。
【０００５】
【発明が解決しようとする課題】
しかし、上記従来のロック機構においては、何等かの事情で管が回転してストッパー爪６と解除用スロープ４が合致すると、そのまま抜けてしまう心配がある。
又、ストッパー爪６は、その厚み分受け口５の内周面において突出するため、挿入口１の外周面と受け口１の内周面間にストッパー爪６の厚み分の隙間が出来るという欠点がある。
【０００６】
本発明の第一の目的は、給排気管の接続装置において、一旦接続した管が抜けるためには、少なくとも３つのアクションが重ならなければならないようにして、安全性の向上を図ることである。更に、第二の目的は、管を接続したときに、ストッパー爪の周辺に隙間が発生しないようにすることである。
【０００７】
【課題を解決するための手段】
上記目的を達成するため、請求項１に記載の発明においては、給排気管の接続装置において、ａ．給排気管の挿入口１０側の開先から管軸方向に少し入った外周面に円周溝１１を形成したこと、
ｂ．前記円周溝１１の円周の一部から前記開先方向に向けて、挿入口１０の管軸と平行にガイド溝１３を形成したこと、
ｃ．前記ガイド溝１３の前記開先側の先端に続けて、このガイド溝１３と直角方向に前記ガイド溝１３とでＴ字状を呈するように係合壁溝１４を形成したこと、
ｄ．前記係合壁溝１４の両端は、スロープ１５、１５ａを経由して挿入口１０の外周面と同一の高さまでせり上がっていること、
ｅ．前記挿入口１０が挿し込まれる給排気管の受け口２０の内周面２０ａには、先端２１ａが受け口２０の入口方向から見て奥方を向き、かつ管軸方向に傾斜したストッパー爪２１を取り付けたこと、
ｆ．前記挿入口１０の内周面２０ａであって、前記ストッパー爪２１が取り付けられる面には、少なくともストッパー爪２１の板厚分半径方向に逃がして逃げ２２を形成したこと、
ｇ．を特徴とするものである。
【０００９】
本発明に係る給排気管は、給気又は排気専用の単管と、給気を外管で行い、排気を内管で行う二重管構造のものを含む。材質はステンレス管である。ストッパー爪は、弾性に富む金属材料であればどのようなものでもよいが、給排気管と同様にステンレスを加工したものが最適である。
【００１０】
ストッパー爪とロック用の溝は、一ケ所でもよいが、例えば１８０°の位置（対称位置）に二ヶ所設けてもよい。このように、二ヶ所設けた場合、給排気管に大きな曲げの力が作用して接続部において折れ角が出来ても容易に外れることがなくなり、安全性が向上する。
【００１１】
【作用】
管の接続は、ストッパー爪とガイド溝とが合わない位置において、挿入口を受け口内に挿入する。受け口内から挿入口側を引き抜く場合には、ストッパー爪の位置とガイド溝との位置合わせを行い、一旦ストッパー爪の先端が係合壁に係るまで挿入口側を引き抜いた後、挿入口側を回転させる。このようにすると、ストッパー爪の先端が解爪用スロープに沿って摺り上げられて係合壁から外れるため、あとはそのまま挿入口を引けば抜ける。なお、上記管の接続において、各種動作は挿入口を中心に説明したが、反対に受け口側を操作した場合も同様の動作となる。
【００１２】
【発明の実施の形態】
図１に本発明に係るロック機構付の接続装置を示す。この接続装置の挿入口１０側には、その外周面１０ａに円周溝１１が形成されていると共に、この円周溝１１の一部にはロック解除溝１２として、管端方向に向けてガイド溝１３が形成され、更にこのガイド溝１３の先端には係合壁１４が形成され、更にこの係合壁１４の両側には、前記ガイド溝１３の幅Ｗよりも外側に向けて昇り勾配の解除用スロープ１５、１５ａが形成されている。
【００１３】
一方、受け口２０側には、その内周面２０ａに先端２１ａ側を管奥方向に向け、且つ管軸方向に向けて先端側を傾斜したストッッパー爪２１が取り付けられている。なお、ストッパー爪２１が取りつけられている受け口２０の内周面には段押しにより少なくともストッパー爪２１の厚み分の逃げ２２が形成してある（図２（ａ）参照）。このような構成にすると、受け口２０内に挿入口１０側を挿入したときに、ストッパー爪２１の厚み分の隙間がストッパー爪２１の周辺に出来たり、ストッパー爪２１で掻き傷が挿入口１０側にできたりするのを防止することができる。
【００１４】
図２（ａ）〜（ｃ）は挿入口１０側を受け口２０側に挿入し、ロックする場合と、このロックを解除する場合の動作例を示すもので、図２（ａ）は、受け口２０内に向けて挿入口１０側を挿入する直前の状態である。
【００１５】
図２（ｂ）は挿入口１０側を受け口２０内に所定の位置まで挿入した時の説明図であって、ストッパー爪２１の先端２１ａは円周溝１１に係合し、そのままでロック状態となる。
【００１６】
図２（ｃ）は上記（ｂ）のロック状態から、挿入口１０又は受け口２０側を回転して、ロック解除溝１２にストッパー爪２１を合せ、一旦少し引いてストッパー爪２１の先端２１ａが係合壁１４に当ったところで止め、その上で挿入口１０又は受け口２０を回転してストッパー爪２１の先端２１ａを解除用スロープ１５に沿って摺り上げてロックを解除した状態である。この状態において、挿入口１０側又は受け口２０側を引くと、管は容易に引き抜くことができる。
【００１７】
【発明の効果】
本発明は以上のように、受け口内に挿入口側を挿入しただけでロック状態となるので、接続作業がやり易く、又、ロック解除においては、ストッパー爪とロック解除溝との位置合せ、一旦ロック解除溝に沿ってストッパー爪を引く動作、そして管を回転してストッパー爪の先端を摺り上げるという動作の３つが重なって始めてロック解除となるので、偶然に管が抜けるチャンスは極めて少なく、よって安全性が向上する。
又、本発明においては、受け口内において、ストッパー爪の位置をその厚み分段押しして逃げを形成したことにより、接続したときに隙間ができない。
【図面の簡単な説明】
【図１】本発明に係る接続装置の斜視図。
【図２】本発明に係る接続装置のロック及びロック解除の説明図。
【図３】従来の接続装置の説明図。
【図４】従来の接続装置のロック及びロック解除の説明図。
【符号の説明】
１０  挿入口
１０ａ  外周面
１１  円周溝
１２  ロック解除溝
１３  ガイド溝
１４  係合壁
１５、１５ａ  ロック解除用スロープ
２０  受け口
２０ａ  内周面
２１  ストッパー爪
２１ａ  ストッパー爪の先端
２２  逃げ
【図１】
0004097167.tif 000002
【図２】
0004097167.tif 000003
【図３】
0004097167.tif 000004
【図４】
0004097167.tif 000005